(57)【要約】【課題】  予め設定された多数の撮影環境によって多数の映像を自動で連続撮影し撮影された映像の中で、使用者により選択された映像のみを保存し得る映像撮影方法を提供する。【解決手段】  本発明に係る映像撮影方法においては、撮影装置を備えた携帯端末機において、使用者が撮影を開始すると、端末機が一つ以上の撮影環境によって自動で連続撮影する段階と、前記端末機が前記撮影された一つ以上の映像を表示する段階と、該表示された一つ以上の映像の中で使用者により選択された映像のみを保存する段階と、を順次行うことを特徴とする。【選択図】図１Ａ
2006042330.tif 000002
【特許請求の範囲】
【請求項１】
撮影装置を備えた携帯端末機において、
使用者が撮影を開始すると、端末機が一つ以上の撮影環境によって自動で連続撮影する段階と、
前記端末機が前記撮影された一つ以上の映像を表示する段階と、
該表示された一つ以上の映像の中で使用者により選択された映像のみを保存する段階と、を順次行うことを特徴とする映像撮影方法。
【請求項２】
前記撮影環境は、
撮影の前に使用者により設定されることを特徴とする請求項１記載の映像撮影方法。
【請求項３】
前記撮影環境は、
フラッシュの使用可否、撮影映像の倍率、解像度、画面の明るさ、カラー効果の中で、少なくともいずれか一つ以上を含むことを特徴とする請求項１記載の映像撮影方法。
【請求項４】
前記撮影する段階は、
前記撮影環境が設定された個数だけの映像を撮影することを特徴とする請求項１記載の映像撮影方法。
【請求項５】
前記表示された映像の中で、使用者により選択されなかった映像は削除されることを特徴とする請求項１記載の映像撮影方法。
【請求項６】
少なくとも一つの撮影環境によって撮影する撮影部と、
前記撮影環境が二つ以上である場合、前記撮影部を制御して連続撮影するようにする制御部と、
前記撮影部により撮影された少なくとも一つの映像を表示する表示部と、
該表示された映像の中で、使用者により選択された映像を保存する保存部と、を含んで構成されることを特徴とする携帯端末機。
【請求項７】
使用者から撮影機能を含む端末機の制御命令及び前記撮影環境、前記表示された映像の中で保存される映像に対する選択の入力を受ける入力部をさらに含んで構成されることを特徴とする請求項６記載の携帯端末機。
【請求項８】
前記撮影環境は、
フラッシュの使用可否、撮影映像の倍率、解像度、画面の明るさ、カラー効果の中で、少なくともいずれか一つ以上を含むことを特徴とする請求項６記載の携帯端末機。
【請求項９】
前記撮影部は、
前記制御部により前記撮影環境が設定された個数だけの映像を撮影することを特徴とする請求項６記載の携帯端末機。
【請求項１０】
前記制御部は、
前記表示部に表示された映像の中で、使用者により選択されなかった映像は削除することを特徴とする請求項６記載の携帯端末機。
【発明の詳細な説明】
【技術分野】
【０００１】
本発明は、携帯端末機に係るもので、詳しくは、撮影装置を備えた携帯端末機において、多数の映像を連続撮影し撮影された映像のうち、使用者により選択された映像のみを保存し得る映像撮影方法に関するものである。
【背景技術】
【０００２】
最近、多様な機能を有するマルチメディア携帯端末機と小型デジタルカメラに対する使用者の関心が急増するにつれて、カメラフォンのように撮影装置を備えた携帯端末機が広く普及するようになった。
【０００３】
使用者は、前記撮影装置を備えた携帯端末機を利用して、いつ、どこでも所望の写真や動映像を撮影できるため、それをインターネット上で自身のホームページに掲載したり、またそれらの撮影をとして楽しめるようになった。
【発明の開示】
【発明が解決しようとする課題】
【０００４】
しかしながら、このような従来の携帯端末機に備えられた撮影装置を利用して映像を撮影する場合、使用者は、フラッシュの使用可否、撮影映像の倍率、解像度、画面の明るさ、カラー効果などの撮影環境をいちいち手動で設定した後、映像を撮影しなければならなかったが、撮影をした後、該撮影された映像が所望の映像と異なる場合、使用者は、前記設定された撮影環境を再び変更して撮影しなければならない不具合があった。また、再び撮影する場合、その間、被写体の動きや日差しの変化などによって所望の映像を撮影できないということがたびたび発生するという問題があった。
【０００５】
本発明は、撮影装置を備えた携帯端末機において、予め設定された多数の撮影環境によって多数の映像を自動で連続撮影し撮影された映像のうち、使用者により選択された映像のみを保存し得る映像撮影方法を提供することを目的とする。
【課題を解決するための手段】
【０００６】
このような目的を達成するために、本発明に係る映像撮影方法においては、撮影装置を備えた携帯端末機において、使用者が一つ以上の撮影環境を設定する過程と、使用者が撮影を開始すると、端末機が前記設定された一つ以上の撮影環境によって自動で連続撮影する過程と、前記端末機が前記撮影された一つ以上の映像を表示する過程と、該表示された一つ以上の映像の中で、使用者により選択された映像のみを保存する過程と、を順次行うことを特徴とする。
【０００７】
好ましくは、前記撮影装置を備えた携帯端末機においては、少なくとも一つの撮影環境によって撮影する撮影部と、前記撮影環境が二つ以上である場合、前記撮影部を制御して連続撮影するようにする制御部と、前記撮影部により撮影された少なくとも一つの映像を表示する表示部と、該表示された映像の中で、使用者により選択された映像を保存する保存部と、を含んで構成されることを特徴とする。また、前記携帯端末機は、使用者から撮影機能を含む端末機の制御命令及び前記撮影環境、前記表示された映像の中で保存される映像に対する選択の入力を受ける入力部をさらに含んで構成することもできる。
【０００８】
好ましくは、前記撮影環境は、フラッシュの使用可否、撮影映像の倍率、解像度、画面の明るさ、カラー効果の中で、少なくともいずれか一つ以上を含むことを特徴とする。
【０００９】
上記目的を達成するために、本発明は、例えば、以下の手段を提供する。
（項目１）
撮影装置を備えた携帯端末機において、
使用者が撮影を開始すると、端末機が一つ以上の撮影環境によって自動で連続撮影する段階と、
前記端末機が前記撮影された一つ以上の映像を表示する段階と、
該表示された一つ以上の映像の中で使用者により選択された映像のみを保存する段階と、を順次行うことを特徴とする映像撮影方法。
（項目２）
前記撮影環境は、
撮影の前に使用者により設定されることを特徴とする項目１記載の映像撮影方法。
（項目３）
前記撮影環境は、
フラッシュの使用可否、撮影映像の倍率、解像度、画面の明るさ、カラー効果の中で、少なくともいずれか一つ以上を含むことを特徴とする項目１記載の映像撮影方法。
（項目４）
前記撮影する段階は、
前記撮影環境が設定された個数だけの映像を撮影することを特徴とする項目１記載の映像撮影方法。
（項目５）
前記表示された映像の中で、使用者により選択されなかった映像は削除されることを特徴とする項目１記載の映像撮影方法。
（項目６）
少なくとも一つの撮影環境によって撮影する撮影部と、
前記撮影環境が二つ以上である場合、前記撮影部を制御して連続撮影するようにする制御部と、
前記撮影部により撮影された少なくとも一つの映像を表示する表示部と、
該表示された映像の中で、使用者により選択された映像を保存する保存部と、を含んで構成されることを特徴とする携帯端末機。
（項目７）
使用者から撮影機能を含む端末機の制御命令及び前記撮影環境、前記表示された映像の中で保存される映像に対する選択の入力を受ける入力部をさらに含んで構成されることを特徴とする項目６記載の携帯端末機。
（項目８）
前記撮影環境は、
フラッシュの使用可否、撮影映像の倍率、解像度、画面の明るさ、カラー効果の中で、少なくともいずれか一つ以上を含むことを特徴とする項目６記載の携帯端末機。
（項目９）
前記撮影部は、
前記制御部により前記撮影環境が設定された個数だけの映像を撮影することを特徴とする項目６記載の携帯端末機。
（項目１０）
前記制御部は、
前記表示部に表示された映像の中で、使用者により選択されなかった映像は削除することを特徴とする項目６記載の携帯端末機。
【発明の効果】
【００１０】
本発明に係る映像撮影方法においては、使用者が撮影の前に多数の環境を予め設定して１回の撮影命令で設定された多数の環境によって多数の撮影映像を得られ、多数の環境によって撮影された映像の中で最適の映像を選択して保存し得るようにすることで、所望しない映像が出てきた場合、映像撮影環境を再び設定して撮影しなければならなかった従来の方法に比べて使用者の利便性を向上し得るという効果がある。
【発明を実施するための最良の形態】
【００１１】
以下、本発明の好ましい実施形態に対し、図面を用いて説明する。
【００１２】
図１は、撮影装置を備えた携帯端末機の第一実施形態を示した外形図であって、図１（ａ）は、カメラが後面に位置したフォルダ型携帯端末機が折り畳まれた場合の後面を示した図で、図１（ｂ）は、前記フォルダ型携帯端末機を開いた場合の正面を示した図である。
【００１３】
図１（ａ）に示したように、撮影装置を備えた携帯端末機１００は、映像撮影のためのカメラ部１１０を含んでいて、該カメラ部１１０を通じて被写体の映像の入力を受けて撮影するように構成される。
【００１４】
また、前記携帯端末機１００は、図１（ｂ）に示したように、使用者からキーパッド１２０を通じて映像撮影に関する命令の入力を受けて、該入力された命令によって映像撮影を実行するように構成されている。
【００１５】
図２は、本発明に係る撮影装置を備えた携帯端末機２００の内部構成を示した構成図である。
【００１６】
本発明に係る撮影装置を備えた携帯端末機２００においては、  図２に示したように、携帯端末機２００の作動を制御する制御部２１０と、被写体の映像の入力を受けて撮影する撮影部２２０と、該撮影される映像を表示する表示部２３０と、使用者の命令の入力を受ける入力部２４０と、前記撮影された映像を保存する保存部２５０と、を含んで構成されている。
【００１７】
また、前記制御部２１０は、ＭＳＭのようなプロセッサー又はデジタル信号プロセッサーであり得るし、前記撮影部２２０は、光学レンズのようなカメラレンズを含んで映像撮影に必要な装置から構成されることができる。
【００１８】
また、前記表示部２３０は、通常、携帯端末機に提供されている液晶表示装置（Ｌｉｑｕｉｄ  Ｃｒｙｓｔａｌ  Ｄｉｓｐｌａｙｅｒ：ＬＣＤ）を含んで撮影された映像を使用者に視覚的に伝達するように構成することができる。また、前記入力部２４０は、使用者の映像撮影関連命令を含む制御命令の入力を受けられるように構成されることが好ましいが、一般的に、キーパッドやタッチスクリーンなどで実現される。
【００１９】
また、前記保存部２５０は、携帯端末機の映像撮影関連ソフトウェアを保存して前記制御部２１０が該ソフトウェアを利用して映像撮影を実行し得るように構成されることが好ましく、ＲＯＭやＲＡＭなどの揮発性／非揮発性メモリから構成されることができる。また、前記保存部２５０には、前記撮影部２２０で撮影された映像が保存でき、撮影された映像を一時保存するバッファー部と、撮影された映像の中で使用者が選択した映像を保存する別途の映像保存部の中で少なくとも一つを含んで構成されることができる。
【００２０】
前記各構成に関する説明は、当該技術分野における通常の知識を有する者には自明な事項であるため、省略することにする。
【００２１】
前記のような構成を有する撮影装置を備えた携帯端末機２００を参照し、本発明に係る映像撮影方法について説明すると、使用者が前記入力部２４０を通じて映像撮影開始命令を入力すると、前記制御部２１０は、前記映像撮影開始命令を認知して前記撮影部２２０がカメラ初期制御のための動作を実行するようにして設定された撮影環境によって撮影を始めるようにする。
【００２２】
前記撮影環境は、使用者により撮影の前に設定され、前記保存部２５０に保存される。この時、使用者が設定する前記撮影環境は、フラッシュの使用可否、撮影映像の倍率、解像度、画面の明るさ、カラー効果などを含む。
【００２３】
一方、撮影が始まると、前記制御部２１０は、多数の撮影環境が設定されているかを判別し、多数の撮影環境が設定されていると、その多数の環境によって自動的に連続撮影を実行し、その結果（撮影された映像）を前記表示部２３０に出力する。前記携帯端末機使用者は、前記表示部２３０に表示された撮影映像を見て本人が所望する映像を選択し、選択された映像のみを前記保存部２５０又は別途の保存部に保存することができる。
【００２４】
前記携帯端末機２００は、図２に示された前記構成ユニットの他にも、選択的に、ＲＦモジュール、電力管理モジュール、アンテナ、バッテリー、加入者の識別モジュール（Ｓｕｂｓｃｒｉｂｅｒ  Ｉｄｅｎｔｉｔｙ  Ｍｏｄｕｌｅ：ＳＩＭ）カード、スピーカー、マイクなどを含むことができる。
【００２５】
図３は、本発明に係る映像撮影方法の第一実施形態の実現過程を示したフローチャートである。
【００２６】
本発明に係る映像撮影方法においては、図３に示したように、使用者が一つ以上の撮影環境を設定する過程（Ｓ３００〜Ｓ３３０）と、使用者が撮影を開始すると、前記端末機が前記設定された一つ以上の撮影環境によって連続撮影する過程（Ｓ３４０〜Ｓ３６０）と、前記端末機が前記撮影された一つ以上の映像を表示する過程（Ｓ３７０）と、該表示された一つ以上の映像の中で使用者が選択した映像を保存する過程（Ｓ３８０）と、を順次行う。
【００２７】
まず、使用者が撮影するために撮影機能を動作させると、設定された環境の個数Ｎに初期値１を入力する（Ｓ３００）。次いで、使用者が撮影環境を設定し、該設定された環境を携帯端末機に保存すると（Ｓ３１０）、携帯端末機は、携帯端末機使用者からさらなる撮影環境の入力命令があるか否かを判断する（Ｓ３２０）。
【００２８】
この判断の結果、さらなる撮影環境の入力命令がある場合、さらなる撮影環境の入力命令があるたびに設定環境個数Ｎを１ずつ増加させて（Ｓ３３０）、さらなる撮影環境の入力命令がない場合には、映像撮影を始める（Ｓ３４０）。
【００２９】
次いで、携帯端末機は、前記設定された撮影環境によって映像撮影を始めて（Ｓ３４０）、撮影直後Ｎ値が１になるかを判断するが（Ｓ３５０）、判断の結果、Ｎ値が１でない場合、Ｎ値を１だけ減少させた後（Ｓ３６０）、再び前記撮影する段階（Ｓ３４０）に戻り、前記過程を反復する（Ｓ３４０〜Ｓ３５０又はＳ３４０〜Ｓ３６０）。
【００３０】
一方、前記判断結果Ｎ値が１になる場合、撮影を終了し、撮影された映像を表示部に表示する（Ｓ３７０）。次いで、該表示された映像の中で、使用者により選択された映像は保存されて、選択されなかった映像は削除される（Ｓ３８０）。
【００３１】
図４は、本発明に係る映像撮影方法により撮影された映像の第一実施形態を示した図である。
【００３２】
図４に示したように、設定された撮影環境が三つである場合、１回の撮影で三つの撮影映像（４１０、４２０、４３０）を得ることができるが、各撮影映像は、画面の明るさ、解像度、倍率などの設定環境で差があって、携帯端末機使用者は、前記複数撮影された映像の中で、最も最適な映像を選択して保存することができる。
【００３３】
一方、使用者の利便性のために、使用者が一つだけの撮影環境のみを設定して保存しても携帯端末機が自動で以前に設定された多数の撮影環境又はデフォルト値に指定された少なくとも一つの撮影環境を追加して連続撮影する方法も実現可能であるが、これについて図５を参考して説明することにする。
【００３４】
図５は、本発明に係る映像撮影方法の他の実施形態の実現過程を示したフローチャートである。
【００３５】
図５に示したように、まず、使用者が撮影するために撮影機能を動作させると、設定された環境の個数Ｎに初期値１を入力する（Ｓ５０２）。次いで、使用者が撮影環境を設定し、該設定された環境を携帯端末機に保存すると（Ｓ５０４）、携帯端末機は、携帯端末機使用者からさらなる撮影環境の入力命令があるかを判断する（Ｓ５０６）。
【００３６】
判断の結果、さらなる撮影環境の入力命令がある場合、さらなる撮影環境の入力命令があるたびに設定環境個数Ｎを１ずつ増加させて（Ｓ５０８）、さらなる撮影環境の入力命令がない場合、前記Ｎ値が１であるかを判断する（Ｓ５１０）。判断の結果、前記Ｎ値が１であると、携帯端末機は、少なくとも一つの撮影環境を追加設定し（Ｓ５１２）、追加された撮影環境の個数だけの数字をＮ値に合算する（Ｓ５１４）。前記追加される撮影環境は、使用者が以前の撮影時に設定した複数の撮影環境又はデフォルト値に指定された撮影環境である。
【００３７】
撮影環境の設定が完了すると、携帯端末機は、前記設定された撮影環境によって映像撮影を始めて（Ｓ５１６）、撮影直の後、Ｎ値が１になるかを判断するが（Ｓ５１８）、判断の結果、Ｎ値が１でない場合、Ｎ値を１だけ減少させた後（Ｓ５２０）、再び前記撮影する段階（Ｓ５１６）に戻り前記過程を反復する（Ｓ５１６〜Ｓ５１８又はＳ５１６〜Ｓ５２０）。
【００３８】
一方、前記判断の結果、Ｎ値が１になる場合、撮影を終了し、撮影された映像を表示部に表示する（Ｓ５２２）。該表示された映像の中で、使用者により選択された映像は保存されて、選択されない映像は削除される（Ｓ５２４）。
【００３９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００４０】
予め設定された多数の撮影環境によって多数の映像を自動で連続撮影し撮影された映像の中で、使用者により選択された映像のみを保存し得る映像撮影方法を提供する。
【００４１】
本発明に係る映像撮影方法においては、撮影装置を備えた携帯端末機において、使用者が撮影を開始すると、端末機が一つ以上の撮影環境によって自動で連続撮影する段階と、前記端末機が前記撮影された一つ以上の映像を表示する段階と、該表示された一つ以上の映像の中で使用者により選択された映像のみを保存する段階と、を順次行うことを特徴とする。
【図面の簡単な説明】
【００４２】
【図１Ａ】撮影装置を備えた携帯端末機の第一実施形態を示した外形図である。
【図１Ｂ】撮影装置を備えた携帯端末機の第一実施形態を示した外形図である。
【図２】本発明に係る撮影装置を備えた携帯端末機の内部構成を示した構成図である。
【図３】本発明に係る映像撮影方法の実現過程を示したフローチャートである。
【図４】本発明に係る映像撮影方法により撮影された映像の第一実施形態を示した図である。
【図５】本発明に係る映像撮影方法の他の実施形態の実現過程を示したフローチャートである。
【符号の説明】
【００４３】
１００：携帯端末機
１１０：カメラ部
１２０：キーパッド
２００：携帯端末機
２１０：制御部
２２０：撮影部
２３０：表示部
２４０：入力部
２５０：保存部
【図２】
2006042330.tif 000003
【図３】
2006042330.tif 000004
【図５】
2006042330.tif 000005
【図１Ａ】
2006042330.tif 000006
【図１Ｂ】
2006042330.tif 000007
【図４】
2006042330.tif 000008